(57)【特許請求の範囲】
【請求項１】
プリント搬出部の搬出口から搬出されるプリントを搬送コンベアを介して集積部に集積するようにしたプリント処理装置におけるプリントの集積装置において、搬送コンベアの駆動を制御するための制御装置が備えられ、制御装置には、プリント搬出部の搬出口からプリントが搬出される毎にそのプリントを搬送コンベアを介して集積部まで搬送して集積部に集積する第１駆動制御モードと、１オーダー分のプリントがオーダー単位で搬出部の搬出口から搬出された時点で、搬送コンベアを動作させて、オーダー毎にプリントを搬送コンベア上に集積する第２駆動制御モードとが備えられていることを特徴とするプリント処理装置におけるプリントの集積装置。
【請求項２】
プリント処理装置が搬出部の搬出口からプリントを一列で搬出する一列搬出運転と複数列で搬出する複数列搬出運転とを選択的に行なえるものであって、制御装置による第２駆動制御モードでの制御は、前記プリント処理装置が一列搬出運転の場合に行なわれるようにしていることを特徴とする請求項１に記載のプリント処理装置におけるプリントの集積装置
【請求項３】
集積部が、搬送コンベアを介して搬送されるプリントを収容するための複数の受皿が備えられた仕分け装置と、搬送コンベアを介して搬送されるプリントを回収するため回収箱とから成り、これら仕分け装置または回収箱が搬送コンベアの搬送方向前方に選択的に取り付けられるようにしていることを特徴とする請求項１または請求項２に記載のプリント処理装置におけるプリントの集積装置。
【発明の詳細な説明】
【技術分野】
【０００１】
本発明は、プリント処理部のプリント搬出口から搬出されるプリントを集積するための集積装置に関する。
【背景技術】
【０００２】
一般にプリント処理装置は、プリント用紙に画像をプリント処理するためのプリント処理部と、プリント処理部で仕上がったプリントを集積するための集積装置とが備えられており、プリント処理装置のプリント処理量若しくはプリント処理能力の如何により、搭載される集積装置の仕様を異にしている。
【０００３】
即ち、例えば処理能力の大きいプリント処理装置に搭載される集積装置は、搬出口に設置される搬送コンベアと、複数の受皿を備えて前述の搬送コンベアの搬送方向前方に配設される仕分け装置とから構成され、プリントが搬出口から搬送コンベア上に搬出される毎に搬送コンベアを駆動して、搬送コンベア上のプリントを受皿の1つに搬送し、1オーダー分のプリントが所定の受皿に収容された段階で、仕分け装置を駆動して、搬送コンベアから搬送されて来るプリントを収容する受皿を次のものに切り替えるようにしている。（特許文献１参照）
一方、処理能力の小さいプリント処理装置に搭載される集積装置は、搬出口に設置される搬送コンベアと、この搬送コンベアの搬送方向前方に配設されるプリント収容トレイとから構成され、プリントが搬出口から搬送コンベア上に搬出される毎に搬送コンベアを駆動して、搬送コンベア上のプリントをプリント収容トレイに収容するようにしている。（特許文献２参照）
しかしながら、プリント処理装置によるプリントの処理量は、顧客からのプリントの依頼数により日々異なるものであり、そのため、以上のように処理能力に応じて異なる集積装置を搭載したプリント処理装置では、日々の処理状況の変化に即応させることが困難である。
【特許文献１】特開平１１−３５２６５１号公報
【特許文献２】特開２００１−１２５２１２号公報
【発明の開示】
【発明が解決しようとする課題】
【０００４】
本発明は、以上の実情に鑑みて開発したものであって、目的とするところは、プリントの処理量やプリント処理能力に対応して、適宜自由にその集積仕様を選択することの出来るプリント処理装置におけるプリントの集積装置を提供することにある。
【課題を解決するための手段】
【０００５】
以上の目的を達成するために、請求項１に記載の発明は、プリント搬出部の搬出口から搬出されるプリントを搬送コンベアを介して集積部に集積するようにしたプリント処理装置におけるプリントの集積装置において、搬送コンベアの駆動を制御するための制御装置が備えられ、制御装置には、プリント搬出部の搬出口からプリントが搬出される毎にそのプリントを搬送コンベアを介して集積部まで搬送して集積部に集積する第１駆動制御モードと、１オーダー分のプリントがオーダー単位で搬出部の搬出口から搬出された時点で、搬送コンベアを動作させて、オーダー毎にプリントを搬送コンベア上に集積する第２駆動制御モードとが備えられていることを特徴とするものである。
【０００６】
請求項２に記載の発明は、プリント処理装置が搬出部の搬出口からプリントを一列で搬出する一列搬出運転と複数列で搬出する複数列搬出運転とを選択的に行なえるものであって、制御装置による第２駆動制御モードでの制御は、前記プリント処理装置が一列搬出運転の場合に行なわれるようにしていることを特徴とするものである。
【０００７】
請求項３に記載の発明は、請求項１または請求項２に記載の集積部が、搬送コンベアを介して搬送されるプリントを収容するための複数の受皿が備えられた仕分け装置と、搬送コンベアを介して搬送されるプリントを回収するため回収箱とから成り、これら仕分け装置または回収箱が搬送コンベアの搬送方向前方に選択的に取り付けられるようにしていることを特徴とするものである。
【発明の効果】
【０００８】
請求項１に記載の発明によれば、例えばプリント処理装置でのプリント処理量に対応してプリントの集積仕様を任意選択することが出来るのは勿論のこと、搬送コンベアの搬送ベルト上を集積場所として有効利用することも出来、それだけ装置全体の構成を簡略に出来る。
【０００９】
請求項２に記載の発明によれば、請求項１に記載の発明の効果に加え、一列搬出運転と複数列搬出運転とが行なえるプリント処理装置において、集積する順番が狂うことなく多数のプリントをオーダー毎に集積することが出来る。
【００１０】
請求項３に記載の発明によれば、請求項１または２に記載の発明の効果に加え、仕分け装置または回収箱の何れか一方を任意選択して装置本体に取り付けるだけで、一台のプリント処理装置で異なる集積仕様でプリントの集積を行なうことが出来る。
【発明を実施するための最良の形態】
【００１１】
以下、本発明の実施の形態を図面に基づいて説明する。
【００１２】
図１は、本発明にかかるプリントの集積装置が搭載されたプリント処理装置の概略図である。
【００１３】
このプリント処理装置は、装置本体１に、主として現像済みフィルムの画像を印画紙から成るプリント用紙に焼き付けるための焼付処理部１１と、この焼付処理部１１で処理されたプリント用紙を現像処理するための現像処理部１２と、この現像処理部１２で現像処理されたプリント用紙を乾燥するための乾燥処理部１３と、乾燥処理部１３での乾燥処理により完成したプリントを搬出するためのプリント搬出部１４と、このプリント搬出部１４から搬出されるプリントを集積するための本発明の集積装置２と、これら各種構成機器の駆動を制御するための制御装置３などが搭載されている。
【００１４】
焼付処理部１１には、ロール状に巻かれたプリント用紙を格納するためのペーパーマガジン１１ａや、プリント用紙に画像を露光するための露光装置（図示せず）が備えられている。
【００１５】
現像処理部１２には、処理液槽（図示せず）が備えられており、また乾燥処理部１３には、プリント用紙を乾燥するためのヒーターが備えられている。
【００１６】
集積装置２は、ベルト式の搬送コンベア４とこの搬送コンベア４の搬送方向前方に配置する集積部５とが備えられ、搬送コンベア４は、装置本体１上におけるプリント搬出部１４の搬出口１４ａ外方に設けられている。
【００１７】
搬送コンベア４は、駆動装置４０により回転駆動する一対の駆動ローラ４１と、これら駆動ローラ４１間に掛け渡した無端状の搬送ベルト４２とが備えられ、駆動装置４０の駆動は、前述の制御装置３により制御するようにしている。
【００１８】
また以上のプリント処理装置は、プリント用紙を二列で搬送しながら現像処理を行なった後、出来上がったプリントＰをプリント搬出部１４の搬出口１４ａから二列で搬出するようにした複数列搬出運転と、プリント用紙を一列で搬送しながら現像処理を行なった後、出来上がったプリントＰをプリント搬出部１４の搬出口１４ａから一列で搬出するようにした一列搬出運転とが選択的に行なえるようにしている。
【００１９】
集積部５は、後記する仕分け装置６と、搬送コンベア４を介して搬送されるプリントＰを回収するため回収箱７とから成り、これら仕分け装置６または回収箱７が、装置本体１における搬送コンベア４の搬送方向前方に選択的に取り付けられるようにしている
仕分け装置６は、図２に示すように、上下２本の駆動軸６１間に無端状のチエン６２を掛け渡してなる旋回機構６３と、この旋回機構６３のチエン６２に取り付けられる複数の受皿６４と、搬送コンベア４から受皿６４に向けて搬出されるプリントＰを受け止めて受皿６４上の所定位置に積載させるためのストッパ６５とが備えられている。
【００２０】
受皿６４は、図２にも示すように、その中央部にヒンジ部６６が設けられて、ほぼ二つ折りに折り畳めるようになっており、またその一端部にはチエン６２に揺動可能に支持するための取付部６７が設けられている。
【００２１】
そしてこの仕分け装置６は、旋回機構６３を駆動して、チエン６２を駆動軸６１間で旋回させることにより、各受皿６４が上下方向に移動するようにしているのであって、上方から下方に向かって移動する場合には、受皿６４の受面が上方を向いた状態を維持し、最下端位置から次に上方に向かって移動する際には、受皿６４が取付部６７を介してチエン６２に対し揺動すると共に、ヒンジ部６６で折り曲がりながら上方移動に変わり、更に、受皿６４が上方に向かって移動するときは、受皿６４が取付部６７を介してチエン６２に対し下方に揺動して、図２に示すように各受皿６４が重なった状態で上方に移動するように構成されている。
【００２２】
以上の仕分け装置６は、装置本体１の前面側に任意取り付けられ、仕分け装置６を装置本体１から取り外した場合には、プリントＰが収納可能な回収箱７を取り付けるようにしている。
【００２３】
尚、この回収箱７も、装置本体１に対して取り外し可能となっている。
【００２４】
一方、制御装置３には、搬送コンベア４の駆動を制御するための搬送コンベア制御部３０が備えられ、この搬送コンベア制御部３０には、プリント搬出部１４の搬出口１４ａからプリントＰが搬出される毎にそのプリントＰを集積装置２の搬送コンベア４を介して集積部５まで搬送して集積部５に集積するための第１駆動制御モードＭ−１と、１オーダー分のプリントＰがオーダー単位で搬出部１４の搬出口１４ａから搬出された時点で、搬送コンベア４を動作させて、オーダー毎にプリントＰを搬送コンベア４の搬送ベルト４２上に集積するための第２駆動制御モードＭ−２とが構築されている。
【００２５】
そしてプリント処理装置が二列搬出運転を行なう場合には、搬送コンベア制御部３０が第１駆動制御モードＭ−２に自動的に切り替わる一方、プリント処理装置が一列搬出運転を行なう場合において、仕分け装置６が装置本体１に取り付けられるに伴い、搬送コンベア制御部３０が第１駆動制御モードＭ−１に自動的に切り替わり、仕分け装置６を装置本体１から取り外すに伴い、搬送コンベア制御部３０が第２駆動制御モードＭ−２に自動的に切り替わるようにしている。
【００２６】
以上の構成から成る集積装置２を搭載するプリント処理装置では、焼付処理部１１で画像の焼き付け処理を終えたプリント用紙は、現像処理部１２で現像されて、乾燥処理部１３で乾燥された後、プリント搬出部１４の搬出口１４ａから搬送コンベア４の搬送ベルト４２上に搬出されるのであるが、以上のプリント処理を行なうに際し、プリントＰをプリント搬出部１４の搬出口１４ａから二列で搬出するようにした複数列搬出運転が行なわれる場合、若しくは仕分け装置６を装置本体１における搬送コンベア４の搬送方向前方に取り付けて、プリントＰをプリント搬出部１４の搬出口１４ａから一列で搬出するようにした一列搬出運転が行なわれる場合には、制御装置３における搬送コンベア制御部３０の制御により、集積装置２が第１駆動制御モードＭ−１で動作するのであって、これにより、搬出口１４ａからプリントが搬送ベルト４２上に搬出される毎に、搬送ベルト４２上のプリントが仕分け装置６の受皿６４に収容されるまで搬送コンベア４が駆動すると共に、以上の動作が１オーダー分のプリントが1つの受皿６４に収容されるまで繰り返されるのであって、最上部に位置する受皿６４に１オーダー分のプリントＰが収容された段階で、その受皿６４は、旋回機構６３の駆動により順次下方に向けて一段階移動すると共に、その受皿６４の上方に新しい受皿６４が移動して来て、次のオーダー分のプリントが収容される。
【００２７】
そして特に前述の複数列搬出運転が行なわれている場合には、集積装置２の集積部５に集積されるプリントＰの順番が不用意に入れ替わることもない。
【００２８】
一方、プリントＰをプリント搬出部１４の搬出口１４ａから一列で搬出するようにした一列搬出運転が行なわれる場合において、仕分け装置６に替えて回収箱７を装置本体１における搬送コンベア４の搬送方向前方に取り付けて、プリント処理を行なう場合には、制御装置３における搬送コンベア制御部３０の制御により、集積装置２が第２駆動制御モードＭ−２で動作するのであって、これにより、図５及び図６に示すように、１オーダー分のプリントＰ−１が搬出部１４の搬出口１４ａから搬出されまで、搬送コンベア４は動作せず、1オーダー分のプリントＰ−１が搬出口１４ａから搬送ベルト４２上に搬出された時点で、搬送コンベア４が駆動して、搬送ベルト４２が所定距離移動した段階で、搬送コンベア４が停止するのであって、そして次のオーダー分のプリントＰ−２が更に搬送ベルト４２に搬出された時点で、搬送コンベア４が再度駆動して搬送ベルト４２が所定距離移動した段階で搬送コンベア４が停止する一連の動作を繰り返して、搬送ベルト４２上にオーダ毎にプリントＰ−１・Ｐ−２・Ｐ−３が集積されるのである。
【００２９】
ところで、プリントＰの搬出口１４ａからの搬出姿勢若しくは搬出されるプリントＰの大きさによって、図７及び図８に示すように搬送ベルト４２上に集積されている１オーダ分のプリントＰ−１に対して次のオーダー分のプリントＰ−２・Ｐ−３を一部重なる状態で集積させることで、搬送ベルト４２上に集積できるプリントのオーダー数を増やすことが出来る。
【００３０】
斯くして以上の集積装置では、プリントＰの処理量やプリント処理能力に対応してプリントＰの集積仕様を任意選択することが出来るのは勿論のこと、装置本体１に取り付ける集積部５として仕分け装置６と回収箱７を適宜選択するだけで、搬送コンベア４の搬送ベルト４２上を集積場所として有効利用することが出来る。
【００３１】
以上の実施形態では、プリント処理装置が一列搬出運転を行なう場合において、仕分け装置６が装置本体１に取り付けられるに伴い、搬送コンベア制御部３０が第１駆動制御モードＭ−２に自動的に切り替わり、仕分け装置６を装置本体１から取り外すに伴い、搬送コンベア制御部３０が第２駆動制御モードＭ−２に自動的に切り替わるようにしたが、これに限定されるものではなく、例えば、オペレータが制御装置３を介して第１駆動制御モードＭ−２と第２駆動制御モードＭ−２との切換を任意行なうようにしてもよい。
【図面の簡単な説明】
【００３２】
【図１】本発明にかかる集積装置の集積部を構成する仕分け装置が搭載されたプリント処理装置の概略斜視図。
【図２】仕分け装置の概略構成図。
【図３】本発明にかかる集積装置の集積部を構成する回収箱が搭載されたプリント処理装置の概略斜視図。
【図４】本発明にかかる仕分け装置を搭載したプリント処理装置の概略構成図。
【図５】本発明にかかる集積装置の第２駆動制御モードでの作動の一例を示す説明図。
【図６】本発明にかかる集積装置の第２駆動制御モードでの作動の一例を示す説明図。
【図７】本発明にかかる集積装置の第２駆動制御モードでの作動の一例を示す説明図。
【図８】本発明にかかる集積装置の第２駆動制御モードでの作動の一例を示す説明図。
【符号の説明】
【００３３】
１      装置本体
１４    プリント搬出部
１４ａ  搬出口
２      集積装置
３      制御装置
４      搬送コンベア
４０    駆動装置
５      集積部
６      仕分け装置
６４    受皿
７      回収箱
Ｍ−１  第１駆動制御モード
Ｍ−２  第２駆動制御モード
Ｐ      プリント
【図１】
0004483719.tif 000002
【図２】
0004483719.tif 000003
【図３】
0004483719.tif 000004
【図４】
0004483719.tif 000005
【図５】
0004483719.tif 000006
【図６】
0004483719.tif 000007
【図７】
0004483719.tif 000008
【図８】
0004483719.tif 000009